(57)【要約】  本発明は、デコイ状態かつ３状態プロトコルを通じ、量子チャネル６００を介して量子鍵を交換する送信機３００と受信機４００とを備える量子鍵配送システムに関し、送信機は、異なる強度状態および基底状態からエンコードすべき１つの量子状態を選択するために、量子乱数発生器からの乱数を使用するように適合された送信機処理ユニット３４０と、光パルスを生成するように適合されたパルス光光源３１０と、生成された光パルスが内部を通過し、生成された光パルスを時間ビン持続時間によって分離される２つのコヒーレントパルスに変換する時間ビン干渉計３２０と、送信機処理ユニット３４０によって行われる選択に従って、２つのパルスの強度を個別に変更するように適合された単一の強度変調器３６０と、信号強度全体をパルス当たりの最適な光子数まで減少させるように適合された可変光減衰器３７０とを備える。【選択図】図２
2020520587.tif 000002
【特許請求の範囲】
【請求項１】
デコイ状態かつ３状態プロトコルを通じ、量子チャネル（６００）を介して量子鍵を交換する送信機（３００）と受信機（４００）とを備える量子鍵配送システムであって、前記送信機は、
実行可能な９つの強度状態および基底状態から１つの量子状態を選択するために、量子乱数発生器からの乱数を使用するように適合された送信機処理ユニット（３４０）と、
光パルスを生成するように適合されたパルス光光源（３１０）と、
前記生成された光パルスが内部を通過し、前記生成された光パルスを時間ビン持続時間によって分離される２つのコヒーレントパルスに変換する時間ビン干渉計（３２０）と、
前記２つのパルスの強度を個別に変更することにより、前記送信機処理ユニット（３４０）によって行われる選択に従って、前記２つのコヒーレントパルスをエンコードするように適合された単一の強度変調器（３６０）と、
前記信号強度全体をパルス当たりの最適な光子数まで減少させるように適合された可変光減衰器（３７０）と、を備える、
量子鍵配送システム。
【請求項２】
前記パルス光光源（３１０）は、位相ランダム化光パルスを生成するように適合された、ゲインスイッチ式パルスレーザである、
請求項１に記載の量子鍵配送システム。
【請求項３】
前記単一の強度変調器（３６０）は、
初期時間ビンまたは後期時間ビンのそれぞれで前記パルスを送信することにより、第１または第２の量子状態をエンコードするように適合されている、
請求項１または２に記載の量子鍵配送システム。
【請求項４】
前記単一の強度変調器（３６０）は、
両方の時間ビンで前記２つのコヒーレントパルスを送信することにより、第３の状態をエンコードするように適合されている、
請求項１〜３のいずれか１項に記載の量子鍵配送システム。
【請求項５】
前記単一の強度変調器（３６０）は、
マルチレベルパルス発生器３５０によって制御されている、
請求項１〜４のいずれか１項に記載の量子鍵配送システム。
【請求項６】
前記送信機処理ユニット（３４０）は、
実行可能な７つの異なる状態から前記状態をエンコードするように適合されている、
請求項１〜５のいずれか１項に記載の量子鍵配送システム。
【請求項７】
デコイ状態かつ３状態プロトコルを通じ、量子チャネルを介して送信機と受信機との間で量子鍵を交換することを含む量子鍵配送プロセスであって、
量子乱数発生器からの乱数を使用する前記送信機処理ユニット（３４０）の使用を通して、実行可能な異なる状態からエンコードすべき量子状態の強度および基底を選択するステップ（７２０）と、
パルス光光源（３１０）を通して光パルスを生成するステップ（７００）と、
時間ビン干渉計（３２０）に通すことにより、前記生成されたパルスを時間ビン持続時間によって分離される２つのコヒーレントパルスに変換するステップ（７１０）と、
前記２つのコヒーレントパルスの強度を、前記第１のステップで選択した前記強度に従って強度変調器（３６０）内で個別に変更するステップ（７３０）と、
可変光減衰器（３７０）を使用して、前記信号強度全体をパルス当たりの最適な平均光子数まで減少させ、かつ量子チャネル（６００）を介して前記受信機（４００）に前記信号を送信するステップ（７４０）と、を含む、
量子鍵配送プロセス。
【請求項８】
前記選択するステップで、確率Ｐ０で信号強度が送信され、確率Ｐ１＜Ｐ０でデコイ強度が選択され、確率Ｐ２＝１−Ｐ０−Ｐ１で真空強度が選択されるように、３状態の強度のうちの１つを最初に選択する、
請求項７に記載の量子鍵配送プロセス。
【請求項９】
前記真空強度を選択した場合、前記真空状態が送信される、
請求項７または８に記載の量子鍵配送プロセス。
【請求項１０】
Ｚ基底を選択した場合、ビット値は等しい確率で割り当てられる、
請求項７〜９のいずれか１項に記載の量子鍵配送プロセス。
【請求項１１】
前記受信機において実行される分割ステップ（７５０）をさらに含み、
Ｐｚに等しい分割比となるように光スプリッタ（４１０）で前記受信信号を２つの経路に分割することで、前記基底選択を行う、
請求項７〜１０のいずれか１項に記載の量子鍵配送プロセス。
【請求項１２】
測定ステップ（７６０）をさらに含み、
当該到達時間を測定するために検出ユニット（４３０）で前記信号を直接測定することにより、前記Ｚ基底測定を実行し、前記信号を時間ビン干渉計（４２０）に通し、次いで１つまたは２つのいずれかの検出ユニット（４３１、４３２）を使用して前記信号を検出することにより、Ｘ基底測定を実行している、
請求項７〜１１のいずれか１項に記載の量子鍵配送プロセス。
【請求項１３】
古典チャネル（５００）を介して前記送信機に検出イベントを通知する検出通知ステップ（７７０）をさらに含む、
請求項７〜１２のいずれか１項に記載の量子鍵配送プロセス。
【請求項１４】
生鍵のシフティング、誤り訂正処理、プライバシー増幅およびプライバシー認証から構成される最終ステップ（７８０）をさらに含む、
請求項７〜１３のいずれか１項に記載の量子鍵配送プロセス。
【発明の詳細な説明】
【技術分野】
【０００１】
本発明は、量子暗号のプロトコルおよび量子鍵配送（ＱＫＤ）に基づく実装に関する。
【背景技術】
【０００２】
量子暗号化または量子鍵配送（ＱＫＤ）は、送信機と受信機という離れた二者間で、証明可能な完全な安全性をもって秘密鍵を配送できる方法である。
【０００３】
ＱＫＤは、古典通信でのビットの使用とは対照的に、量子物理学の原理や量子状態、すなわち量子ビットにエンコードした情報に依拠するセキュアな方法である。通常、これらの量子状態には光子が使用されている。量子鍵配送では、これらの量子状態の特定の特性を活用して、その安全性を確保している。
【０００４】
より具体的には、この方法の安全性は、未知の量子システムの量子状態を測定すると、そのシステム自体が変化するという事実によるものである。換言すれば、量子通信チャネルでの盗聴では、送信機と受信機との間で交換される鍵にエラーを取り込まずにはその鍵に関する情報を取得することができないため、ユーザに盗聴の試みが露呈することになる。
【０００５】
こうした暗号化装置は、ＱＫＤによって交換される鍵を使用して何らかの対称暗号化を実行することにより、有用なペイロードのセキュアな送信を有効にしている。
【０００６】
チャネルは、何らかの物理的特性の変調を送信することができる物理的媒体に関係しているという一般的な意味で理解される必要がある。当該変調はデータの送信に使用されうる。
【０００７】
前述のように、ＱＫＤの主な利点の１つは、盗聴の試みを検出できることである。盗聴の試みは、システムの挙動、より正確には測定される量子ビット誤り率（Ｑｕａｎｔｕｍ  Ｂｉｔ  Ｅｒｒｏｒ  Ｒａｔｅ：ＱＢＥＲ）および検出率に何らかの影響を与える。このＱＢＥＲは、誤ったビットの数をビットの総数で除算したものである。
【０００８】
ＱＫＤは、ファイバ通信ネットワークでの盗聴検出を有効にする量子的な安全技術の１つとして知られている。
【０００９】
１つの量子チャネル６００と１つの古典チャネル５００との２つのチャネルで接続された、一対のＱＫＤ装置が含まれる典型的な配置が図１ａに示されている。
【００１０】
より正確には、本実装形態では、量子チャネル６００を介して送信機１００と受信機２００との間で量子鍵を配送している。通常、送信機１００と受信機２００とは、連携して量子チャネル（ＱＣ）６００の安全性を保つと考えられる。さらに、同期、および、送信機１００と受信機２００とが共有秘密鍵を生成することを可能にする古典通信に用いられる、サービスチャネル（ＳＣ）５００とも呼ばれる古典チャネルを介して、送信機１００と受信機２００とが接続されている。
【００１１】
簡単な実装形態としては、各チャネルに専用の光ファイバを使用することが挙げられるが、たとえば回線の多重化なども挙げられる。ＱＣ６００では、単一光子または弱いコヒーレントパルスのいずれかによって伝送される量子ビットによって、情報が伝送されている。
【００１２】
［量子暗号のプロトコルの概要］
今日までに最も一般的に実装されているＱＫＤプロトコルはＢＢ８４プロトコルである（ＢｅｎｎｅｔｔとＢｒａｓｓａｒｄ、１９８４）。これは、最も一般的な一連の攻撃に対してこのＢＢ８４プロトコルがセキュアであることが証明されているという事実による。過去１０年間にわたる主要な開発成果の１つは、ＱＫＤプロトコルに関する理論的記述と実際の実装形態との間のギャップを狭めたことである。最初の課題の１つは、当初の理論的証明で想定されていた、完全な単一光子源が利用できないことであった。代わりに、実験者は、コヒーレント状態であり、１パルス当たりの平均光子数が１未満となる減衰レーザパルスを使用することになった。各パルス内の光子数がポアソン分布することにより、最大作動距離を大幅に短縮してしまう光子数分割（ＰＮＳ）攻撃として知られる強力な攻撃への可能性が開かれた。これに対処するために、理想的な単一光子のケースに非常に近い性能が得られるデコイ状態法として知られる洗練されたソリューションが導入された（Ｌｉｍら、２０１４）。
【００１３】
分散位相参照（ＤＰＲ）プロトコルとして知られる別のプロトコルファミリも、ＰＮＳ攻撃へのソリューションとして提案された。送信機から送信される全ての量子状態間のコヒーレンスにより、盗聴者は、受信機側で誤りを起こさずに光子数分布を操作することができない。このファミリの主なプロトコルには、差動位相シフト（ＤＰＳ）（Ｉｎｏｕｅら、２００２）およびコヒーレント一方向（ＣＯＷ）プロトコル（特許文献１）がある。これらのプロトコルの利点は、ＢＢ８４プロトコルで４つのエンコード状態が必要となるのに対し、これらではそれぞれ、２つまたは３つのエンコード状態のみを必要とするということである。これにより、実装の複雑さが大幅に軽減されることになる。
【先行技術文献】
【特許文献】
【００１４】
【特許文献１】米国特許第７９２９６９０号明細書
【発明の概要】
【発明が解決しようとする課題】
【００１５】
これらのＤＰＲプロトコルの主な欠点は、デコイ状態のＢＢ８４プロトコルと同じレベルの安全性を達成できないことにある。たとえば、コヒーレント一方向プロトコル（ＣＯＷ）は、制限された集合的攻撃に対してセキュアであることが証明されている（Ｂｒａｎｃｉａｒｄら、２００８）。これまでのところ、集合的ビームスプリッタ攻撃に対するセキュアレートの上界を使用して、このことが実証されている（Ｗａｌｅｎｔａ  ２０１４、Ｋｏｒｚｈ  ２０１５ａ）。これが上界であるため、より強力な攻撃が存在する可能性がある。とりわけ、明確な状態識別攻撃は、長距離でより実効性のあるものとなる可能性がある。これは、既に、ゼロ誤りのケース（盗聴者の影響によってＱＢＥＲ＝０、可視性＝１が維持されることを意味する）である可能性がある。
【００１６】
また、盗聴者が、実験的に測定される誤り率よりも低い何らかの限定的な誤りを起こすことができる場合、これらの攻撃はさらに強力になり、たとえば作動距離がさらに短縮される可能性がある。ＤＰＳプロトコルの場合も同様である。ＤＰＲプロトコルにおけるこの課題の原因は、各量子ビット間にコヒーレンスがあるため、それぞれの量子ビットを個別の信号として扱うことができないことにある。
【００１７】
提案されているＢＢ８４プロトコルのより単純なバージョンは、いわゆる「３状態プロトコル」である。この３状態プロトコルは、最初に周波数ベースのスキーム用に提案されたものである。対称性３状態プロトコルおよび汎用化された回転対称プロトコルの安全性証明は、多くの場合回転対称に依存するため、その実装が容易ではない。回転対称性のない安全性証明が導き出され（Ｆｕｎｇら、２００６）、このプロトコルが一般的な攻撃に対してセキュアであることが実証されている。
【００１８】
さらなる理論的研究により、この３状態プロトコルに損失許容性があることが分かり（Ｔａｍａｋｉら、２０１４）、このことは、不完全な光源でも長距離で作動できることを意味している。
【００１９】
最も重要なのは、この研究で、３状態プロトコルの性能結果がＢＢ８４プロトコルと全く同じであり、ＢＢ８４プロトコルの第４の状態が冗長であることが示唆されているという点である。また、誤り率推定の統計的変動を考慮した有限鍵長シナリオの安全性も分析されている。
【００２０】
これらの安全性証明によって特定の実装方法は提案されておらず、このプロトコルには３つの量子ビット状態が含まれ、最初の２つの状態｜０＞および｜１＞が鍵生成に寄与し得、第３の状態｜＋＞＝｜０＞＋｜１＞／√２がチャネル推定を目的としていると単に考えられている。
【００２１】
これらのプロトコルは全て、図１ｂに示すように、位相（および位相時間）の自由度を実装することができる。
【００２２】
送信機１００は、パルス光光源１１０と、デコイ状態の生成を有効にする第１の強度変調器１２０と、時間ビン干渉計１３０と、第２の強度および位相変調器１４０と、可変光減衰器１５０とを備える。
【００２３】
２つの異なるバージョンの受信機が、位相受信機２００および位相時間受信機２５０と共に記載されている。この位相受信機２００は、異なる位相の生成を有効にする時間ビン干渉計２１０と、２つの検出ユニットとから構成されている。位相時間受信機２５０は、（時間測定を行う）検出ユニット２３０に接続された分割ユニット２６０と、状態測定を行う２つの検出ユニットに接続された時間ビン干渉計２７０とから構成されている。
【００２４】
これまでのところ、上記の理論的記述に適合している３状態プロトコルによる実装形態の提案のみが、位相基底でのエンコードにおいて使用されていた。これには、デコイ状態法を実装するために、別の強度変調器が必要になるという欠点がある（ＣＯＷプロトコルの実装と比較して）。位相および強度を変調する必要がある点で、この実装形態はＢＢ８４プロトコルとその複雑さが類似しているため、少なくとも２つの変調器が必要になる。
【００２５】
最も実用的なデコイ状態ＢＢ８４の実装形態では、位相基底エンコーディング（Ｌｕｃａｍａｒｉｎｉら、２０１３）または時間相エンコーディングのいずれかを使用していた。前述のように、これらの両方法で、状態の位相と強度との両方を変調する機能が必要となる。Ｌｕｃａｍａｒｉｎｉら、２０１３に記載されている当該システムが有する別の欠点は、受信機において偏光安定化が必要となることであり、このことは、偏光依存損失または不完全な安定化のいずれかに起因して別の損失を発生させ、かつ別の誤りが生じる可能性を招く。
【課題を解決するための手段】
【００２６】
したがって、本発明の目的は、３状態プロトコルＱＫＤを有効にする単一の強度変調器のみをベースとしたより簡単な実装が必要となる、ＱＫＤ装置およびＱＫＤプロセスを提供することである。
【００２７】
［発明の要約］
記載している本発明は、７つの量子状態を使用してセキュアな量子暗号システムを実装するための装置および方法である。
【００２８】
本発明は、より詳細には、デコイ状態かつ３状態プロトコルを通じ、量子チャネルを介して量子鍵を交換する送信機と受信機とを備える量子鍵配送システムに関し、送信機は、異なる実行可能な７つの強度状態および基底状態から１つの量子状態を選択するために、量子乱数発生器からの乱数を使用するように適合された送信機処理ユニットと、光パルスを生成するように適合されたパルス光光源と、生成された光パルスが内部を通過し、この生成された光パルスを時間ビン持続時間によって分離される２つのコヒーレントパルスに変換する時間ビン干渉計と、これら２つのパルスの強度を個別に変更することにより、送信機処理ユニットによって行われる選択に従って、これら２つのコヒーレントパルスをエンコードするように適合された単一強度変調器と、全信号強度をパルス当たりの最適な光子数まで減少させるように適合された可変光減衰器とを備える。
【００２９】
好ましい一実施形態によれば、このパルス光光源は、位相ランダム化光パルスを生成するように適合された、ゲインスイッチ式パルスレーザである。
【００３０】
有利なことに、この単一の強度変調器は、それぞれ初期時間ビンまたは後期時間ビンでパルスを送信することにより、第１または第２の状態をエンコードするように適合されている。
【００３１】
好ましくは、この単一の強度変調器は、両方の時間ビンで２つのコヒーレントパルスを送信することにより、第３の状態をエンコードするように適合されている。
【００３２】
好ましい一実施形態によれば、この単一の強度変調器は、マルチレベルパルス発生器によって制御されている。
【００３３】
好ましくは、送信機処理ユニットは、実行可能な７つの状態から当該状態をエンコードするように適合されている。
【００３４】
本発明の第２の態様は、デコイ状態かつ３状態プロトコルを通じ、量子チャネルを介して送信機と受信機との間で量子鍵を交換することを含む量子鍵配送プロセスに関し、本プロセスは、量子乱数発生器からの乱数を使用する送信機処理ユニットの使用を通して、異なる実行可能な状態からエンコードすべき量子状態の強度および基底を選択するステップと、パルス光光源を通して光パルスを生成するステップと、時間ビン干渉計に通すことにより、この生成されたパルスを時間ビン持続時間によって分離される２つのコヒーレントパルスに変換するステップと、これら２つのコヒーレントパルスの強度を、第１のステップで選択した強度に従って強度変調器内で個別に変更するステップと、可変光減衰器を使用して、信号強度全体をパルス当たりの最適な平均光子数まで減少させ、かつ量子チャネルを介して受信機に信号を送信するステップとを含む。
【００３５】
好ましくは、選択するステップで、確率Ｐ０で信号強度が送信され、確率Ｐ１＜Ｐ０でデコイ強度が選択され、確率Ｐ２＝１−Ｐ０−Ｐ１で真空強度が選択されるように、３状態の強度のうちの１つを最初に選択する。
【００３６】
好ましい一実施形態によれば、真空強度を選択した場合、当該真空状態が送信される。
【００３７】
有利には、Ｚ基底を選択した場合、ビット値は等しい確率で割り当てられる。
【００３８】
好ましくは、本量子鍵配送プロセスは、基底選択を形成するＰｚに等しい分割比となるように、光スプリッタで受信信号を２つの経路に分割する、受信機において実行される分割ステップをさらに含む。
【００３９】
好ましい一実施形態によれば、本量子鍵配送プロセスは測定ステップをさらに含み、当該測定ステップでは、当該到達時間を測定するために検出ユニットで信号を直接測定することにより、Ｚ基底測定を実行し、当該信号を時間ビン干渉計に通し、次いで、信号を検出するために、１つまたは２つのいずれかの検出ユニットを使用するＸ基底測定を実行する。
【００４０】
有利には、本量子鍵配送プロセスは、古典チャネルを介して送信機に検出イベントを通知する検出通知ステップをさらに含む。
【００４１】
好ましい一実施形態によれば、本量子鍵配送プロセスは、生鍵のシフティング、誤り訂正処理、プライバシー増幅およびプライバシー認証から構成されている最終ステップをさらに含む。
【００４２】
ここで提案している３状態プロトコルの実装形態における主な利点は、この場合単一の強度変調器のみを必要とすることにある。複雑さが減少することにより、エンコーディングの速度や品質が向上すると同時に、コストが削減されることになる。
【００４３】
したがって、実装の複雑さでは、単純なＣＯＷプロトコルと比較しても遜色ないほどである。それでも、ＣＯＷの安全性レベルの欠点を、パルスレーザ３１０を使用して、全ての量子ビット間にランダム位相を導入することで克服している。ＰＮＳ攻撃を回避するために、デコイ状態法を本システムに組み込んでいる。
【００４４】
本発明の好ましい一実施形態によれば、送信機において、パルス光光源、好ましくはゲインスイッチ式パルスレーザが位相ランダム光パルスを生成している。これらのパルスは不均衡干渉計３２０へと入射する。出力に際し、２つの時間ビンでコヒーレントな（すなわち、固定された位相差を有する）２つのパルスがある。これで、強度変調器３６０が３状態、すなわち時間ビン量子ビットを生成することが可能となる。最初の２つの状態｜０＞および（｜１＞）は、早期（後期）時間ビンのパルスのみを送信することでエンコードすることができる。第３の状態である｜＋＞を、両方の時間ビンでパルスを送信することでエンコードしている一方で、それぞれのパルスの強度を半分に減少させることにより、パルス当たりの平均光子数を一定に保ち、量子ビットの記述を保持するなどしている。量子ビット３の時間ビン間の位相は、量子ビット間でランダム化されている間を通して、一定のままとなる。
【００４５】
このデコイ状態法により、各量子ビットが信号（μ０）と２つのデコイ強度（μ１、μ２）との実行可能な３つの強度のうちの１つをランダムに有していることが示唆されている。本実装形態では、当該状態の生成に使用するのと同じ強度変調器３６０でこの変調を実現している。
【００４６】
好ましくは、デコイ強度（μ２）のうちの１つが真空状態に可能な限り近似させて設定される（強度変調器の消光比によって制限される）一方で、秘密鍵レートを最大化するために、他のデコイ強度（μ１）が最適化されうる。最も簡単な実装を実現するために、第１のデコイが当該信号の半分に固定されることができる（μ１＝μ０／２）。この場合、図３および図４に示されるように、状態およびデコイ強度の両方が、４つのレベルを有する同じ強度変調器でエンコードされている。必要であれば、強度μ０とμ１とが個別に最適化され得、この場合５つの強度変調レベルが必要となる。送信機で必要とされるマルチレベル信号が、２ビットまたは３ビットの性能を備える高速デジタル・アナログ変換器（ｄｉｇｉｔａｌ  ｔｏ  ａｎａｌｏｇｕｅ  ｃｏｎｖｅｒｔｅｒ：ＤＡＣ、３５０）によって生成される。エンコーディングの後、パルス当たりの平均光子数を可変光減衰器３７０に設定され、その後、信頼されていない量子チャネル６００が介して当該状態を受信機４００へと送信される。
【００４７】
受信機４００で、非対称カプラ（分割ユニット４１０）を使用して受動基底選択が行われ、その際、種々のシステムシナリオを考慮して分割比が最適化される。検出ユニット４３０でパルスの到達時間を検出することにより、時間基底（Ｚ）で生鍵が生成される。位相基底測定（Ｘ）を達成するために、パルスは干渉計４２０を通過する。干渉計の出力ポートで当該干渉がモニタリングされうる。２つの干渉計３２０と４２０との間の相対位相を、当該干渉が一方のポート（ダークポート）で破壊的となり、他方のポートで建設的となるように調整される。その結果、ダークポートに配置された単一の光子検出器４３１が、干渉誤り（盗聴者の動作）を検出するのに十分な状態である。２つの干渉計３２０と４２０との間の相対位相が、送信機側の干渉計３３０のピエゾファイバストレッチャ３３０を使用して安定化される。
【００４８】
本発明のさらなる特定の利点および特徴は、添付の図面を参照することになる、本発明の少なくとも１つの実施形態の以下の非限定的な記載から、より明らかになるであろう。
【図面の簡単な説明】
【００４９】
【図１ａ】図１aは、従来技術による従来の装置を示す図である。
【図１ｂ】図１ｂは、従来技術による従来の装置を示す図である。
【図２】図２は、本発明の好ましい一実施形態による装置を示す図である。
【図３】図３は、本発明の好ましい一実施形態による本装置に関連するプロトコル状態を示す図である。
【図４】図４は、本発明の好ましい一実施形態による本装置の、送信機の挙動を示す図である。
【図５】図５は、本発明の好ましい一実施形態による本装置の作動方法を示すフローチャートである。
【発明を実施するための形態】
【００５０】
実施形態のいかなる特徴も、異なる実施形態の他のあらゆる特徴と有利な方法で組み合わせることができるため、ここでの詳細な説明は、非限定的な方法で本発明を例示することを意図するものとする。
【００５１】
図２は、本発明の概略的装置を示す。本装置は、パルス光光源３１０、好ましくは、アゲインスイッチ式パルスレーザ３１０と、干渉計３２０（好ましくはファイバストレッチャ３３０を備える）と、処理ユニット３４０と、マルチレベル発生器３５０と、強度変調器３６０と、可変光減衰器３７０とから構成される送信機３００を備える。
【００５２】
送信機で、ゲインスイッチ式パルスレーザ３１０が、ランダム位相を有する光パルスを生成する。次いで、このパルスはコヒーレントな２つのパルス（２つの時間ビンを有する時間ビン量子ビット）を生成するために、干渉計３２０に入射する。
【００５３】
さらに、強度変調器３６０が、それぞれ早期時間ビンおよび後期時間ビンでパルスを送信することにより、状態｜０）および１１＞をエンコードする。また、強度変調器３６０は、両方の時間ビンでこれらのパルスを送信することにより、第３の状態｜＋）をエンコードする一方で、それぞれのパルスの強度を半分に減少させることにより、パルス当たりの平均光子数を一定に保ち、量子ビットの記述を保持するなどしている。この第３の量子ビット内の時間ビン間の位相は、全体を通して一定のままとなる。ただし、全ての量子ビット間の位相はランダムのままとなる。
【００５４】
量子ビット状態｜０）、｜１）、および｜＋）をエンコードしている強度変調器３６０は、マルチレベルパルス発生器３５０によって制御されている。量子ビット状態｜０）、｜１）、および｜＋）は、処理ユニット３４０の乱数発生器によってランダムに定義されている。
【００５５】
受信機４００で、非対称光カプラを使用して受動基底選択が行われ、その際、種々のシステムシナリオを考慮して分割比が最適化される。パルスの到達時間を検出することにより、時間基底（Ｚ）で生鍵が生成される。位相基底測定を達成するために、当該状態は干渉計４２０を通過し、また単一光子検出器４３１が、ダークポートをモニタリングすることにより、干渉誤りを検出するのに十分な状態である。
【００５６】
図３は、本発明の好ましい一実施形態による本装置に関連した、プロトコルの全ての状態を示す。特に、図３は、記載しているプロトコル用にエンコードされた種々の時間ビン量子ビットの例を示す。安全性証明は、特定の実装方法を提案しておらず、このプロトコルには３つの量子ビット状態が含まれ、最初の２つの状態｜０)および｜１)が鍵生成に寄与し得、第３の状態｜＋)＝”^|^がチャネル推定を目的としていると単に考えられている。本プロトコルでは、初期時間ビンまたは後期時間ビンで強度（μ）のパルスを送信することにより、状態｜０）および｜１）がエンコードされている。第３の状態である｜＋）は両方の時間ビンにおける２つのパルスの重ね合わせであり、全強度を一定に保つために当該強度の半分を使用している。この第３の状態内の時間ビン間の位相は一定のままとなる。
【００５７】
デコイ状態法を実装するために、これら３つの量子ビット状態それぞれの強度を、１つの信号（μ０）と２つのデコイ強度（μ１、μ２）との間で変調しており、これにより、合計９つが実行可能となり、そのうちの３つは同様であるため、実際は異なる７つの状態を呈することになる。
【００５８】
信号強度（μ０）を使用して、Ｚ基底で信号量子ビット｜０）５１０または｜１）５２０を、またＺ基底で｜＋）５３０（μ０／２の２倍）を生成している。
【００５９】
第１のデコイ強度（μ１）は、Ｚ基底でデコイ１量子ビット５４０もしくは５５０、またはＸ基底で５６０（μ１／２の２倍）の生成に活用される。秘密鍵レートを最大化するために、第１のデコイ強度（μ１）を最適化することができる。
【００６０】
第２のデコイ強度（μ２）は、Ｚ基底でデコイ２量子ビット５７０もしくは５７０’、またはＸ基底で５７０’’（μ２／２の２倍）の生成に活用される。第２のデコイ強度（μ２）をゼロに、すなわち真空状態に設定するのが最適である。このことは、状態５７０、５７０’および５７０’’が等しく、また全てが真空状態であることを意味する。ただし実際には、μ２は強度変調器３６０の消光比によって制限されている。なお、単一の変調器を使用した本実装形態では、μ２が等しくない場合でも、状態５７０、５７０’、および５７０’’は全て同じである。他の実装形態の場合には、必ずしもこうであることはない。本プロトコルは、異なる７つの状態５１０、５２０、５３０、５４０、５５０、５６０および５７０に基づいている。
【００６１】
最も簡単な実装を実現するために、図３に示すように、第１のデコイ（μ１）強度を当該信号の半分に固定することができる（μ１＝μ０／２）。この場合、状態およびデコイ強度の両方が、４つのレベル（μ０、μ１、μ１／２、μ２＾真空）を有する同じ強度変調器でエンコードされる。
【００６２】
強度μ０とμ１とは個別に最適化されることができ、この場合、強度変調器３６０によって生成される５つの強度変調レベルが必要となる。送信機３００で必要なマルチレベル信号を、マルチレベルパルス発生器３５０内にある、２ビットまたは３ビットの性能を備える高速ＤＡＣによって生成している。
【００６３】
図４は、本発明の好ましい一実施形態による本装置の、送信機の挙動を示す。送信機で、パルス光光源３１０をトリガして、光パルスを生成している。レーザを使用してパルス光光源を実装している場合、各パルス間で光位相６７０をランダム化するために、各パルス間で発振閾値を下回っている。光パルスは時間ビン干渉計を通過している。マイケルソン干渉計３２０では偏光変換に反応しないように、ファラデーミラーが使用された。この干渉計３２０は、長さが異なる２つのアームを有する。このようにアーム長に差があることにより、２つのコヒーレントパルスが生成されている。これら２つのパルスは、強度変調器３６０を通過し、この強度変調器３６０は所望の状態に応じて、（２つの時間ビンで）各パルスに異なる減衰を作用させることができる。実行可能な状態の全てについて、前出の図３で概説している。
【００６４】
本プロトコルでは２つの基底を使用しており、第１または第２の光パルスのいずれかを送信してビット値をエンコードするために、Ｚ基底を使用している。本システムに対する盗聴者の影響を確認するために、Ｘ基底が使用されている。この基底において、両方の時間ビンでパルスを送信する一方で、量子ビット当たりの平均光子数を一定に保つために、当該強度を半分に減少させている。ビット値を一様確率で選択している一方で、秘密鍵レートを高めるために、基底選択をＺ基底にバイアスすることができる（ｐｚ＞ｐｘ）。可変光減衰器は、パルス当たりの全体光子数を調節している。
【００６５】
一実装形態として、処理ユニット３４０にあるＲＮＧ６１０を通して量子ビットのエンコーディング操作を実行している。ＲＮＧ６１０による出力は、さらなるステップ６４０（ＺまたはＸのいずれか）の選択基底と、強度選択６３０（μ０、μ１、μ２のいずれか）とを定義している。これらの実行可能な組み合わせを生成する確率を、たとえば量子チャネルの損失のような実験パラメータの関数としての、最高の秘密鍵レートを達成するために最適化している。
【００６６】
計数部６００からの出力として、７つの量子状態のうちの１つが、強度変調器３６０を通して光パルス６８０でエンコードされる。
【００６７】
受信機４００で、非対称であり得る光ビームスプリッタ４１０によって測定基底選択が行われる。通常、分割比は送信機においてＺ（ｐｚ）基底を送信する確率と一致している。検出ユニット４３０で光パルスの到達時間を検出することにより、Ｚ基底測定を実行している。アーム長差が送信機の干渉計３２０と等しい干渉計４２０を使用してＸ基底測定を実行し、その後、ダークポート上の１つの検出器４３１、または各ポートに１つずつ配置された２つの検出器を使用する。２つの干渉計３２０と４２０との間の相対位相を、送信機の干渉計のファイバストレッチャ３３０を使用して一定に保っている。
【００６８】
図５は、本発明の好ましい一実施形態による本装置の作動方法を示す。
【００６９】
第１のステップ７２０で、送信機処理ユニット３４０は、量子ランダム発生器からの乱数を使用して、図３に示す合計７つの実行可能性からエンコードすべき量子状態を選択する。
【００７０】
３状態の強度のうちの１つを最初に選択していることが好ましい。
【００７１】
確率Ｐ０で信号強度が送信される。
【００７２】
確率Ｐ１＜Ｐ０でデコイ強度が選択される。
【００７３】
確率Ｐ２＝１−Ｐ０−Ｐ１で真空強度が選択される。この場合、真空状態が送信される。
【００７４】
選択した強度が真空ではない場合、基底選択を確率Ｐｚ＞Ｐｘで行う。
【００７５】
Ｚ基底を選択した場合、ビット値は等しい確率で割り当てられる。
【００７６】
第２のステップ７００で、パルス光光源３１０は光パルスを生成する。
【００７７】
第３のステップ７１０で、パルスは時間ビン干渉計３２０を通過し、この時間ビン干渉計３２０は、時間ビン持続時間によって分離される２つのコヒーレントパルスを生成する。
【００７８】
第４のステップ７３０で、強度変調器３６０は、図３に示すように、ステップ１で行われる選択に従って２つのパルスの強度を個別に変更する。
【００７９】
第５のステップ７４０で、可変光減衰器３７０を使用して、信号強度全体をパルス当たりの最適な平均光子数まで減少させる。
【００８０】
次いで、量子チャネル６００を介して受信機４００に信号を送信する。
【００８１】
第７のステップ７５０で、受信機は、Ｐｚに等しい分割比となるように光スプリッタ４１０で受信信号を２つの経路に分割することで、基底選択を行う。
【００８２】
代表的な第８のステップ７６０で、当該到達時間を測定するために検出ユニット４３０で信号を直接測定することにより、Ｚ基底測定を実行する。さらに、信号を時間ビン干渉計４２０に通し、次いで１つまたは２つのいずれかの検出ユニット４３１、４３２を使用して信号を検出することにより、Ｘ基底測定を実行している。
【００８３】
後続のステップは、送信機３００と受信機４００との間で共有秘密鍵を生成するためにＱＫＤシステムによって行われる古典操作であるため、本発明にとって必須ではない。
【００８４】
次いで、第９のステップ７７０で、古典チャネル５００を介して送信機に検出イベントを通知する。
【００８５】
最終ステップ７８０は、生鍵のシフティング、誤り訂正処理、プライバシー増幅およびプライバシー認証から構成されている。
【００８６】
上記の実施形態をいくつかの実施例と共に説明してきたが、多くの代替形態、修正形態、および変形形態が当業者には明らかとなり得るか、または明らかであることは明白である。したがって、本開示は、本開示の範囲内にあるそのような全ての代替形態、修正形態、同等形態、および変形形態を包含しているものとする。このことは、たとえば、とりわけ使用可能な異なる装置に関して同様と言える。
【図１ａ】
2020520587.tif 000003
【図１ｂ】
2020520587.tif 000004
【図２】
2020520587.tif 000005
【図３】
2020520587.tif 000006
【図４】
2020520587.tif 000007
【図５】
2020520587.tif 000008
【国際調査報告】
2020520587.tif 000009
2020520587.tif 000010